(57)【特許請求の範囲】
【請求項１】
かさ歯車の歯が、それぞれ、かみ合い側歯面と、前記かさ歯車とかみ合う歯車の反かみ合い側歯面のための係合領域（Ｂ１）を有する反かみ合い側歯面（Ｂ１＋Ｂ２）と、を備えるかさ歯車の製造方法において、歯車を形成するために鋼で予備形状が鋳造される工程、続いて、前記歯の輪郭がフライス加工、及び／又は、研削した硬化処理前の材料とされる工程、硬化処理の前に、前記反かみ合い側歯面（Ｂ１＋Ｂ２）において前記係合領域（Ｂ１）を包囲する外部領域（Ｂ２）、及び、外周縁領域（Ｂ３）は、材料の高精度除去加工によって、加工前の表面から低下されて非接触となり、その結果、残された内部隆起領域（Ｂ４）が、前記かさ歯車の前記反かみ合い側歯面（Ｂ１＋Ｂ２）の１０パーセントから４０パーセントとなるようにする工程、続いて、前記かさ歯車の歯又は前記内部隆起領域（Ｂ４）に硬化処理を施す工程を具備し、前記外周縁領域（Ｂ３）は、前記係合領域（Ｂ１）から前記内部隆起領域（Ｂ４）を除いた領域であることを特徴とする製造方法。
【請求項２】
前記材料の高精度除去加工が、４軸法又は多軸法によるフライス加工又は研削であることを特徴とする請求項１に記載の方法。
【請求項３】
前記内部隆起領域（Ｂ４）が、前記反かみ合い側歯面（Ｂ１＋Ｂ２）の２０パーセントから３０パーセントとなることを特徴とする請求項１又は２に記載の方法。
【請求項４】
残された前記内部隆起領域（Ｂ４）の表面粗さを向上させるために、仕上げフライス加工又は仕上げ研削が、硬化処理の後に施されることを特徴とする請求項１から３のいずれか一項に記載の方法。
【請求項５】
残された前記内部隆起領域（Ｂ４）が手動で研磨され、又は、研磨機でラップ研磨されることを特徴とする請求項１から４のいずれか一項に記載の方法。
【請求項６】
かさ歯車であって、当該かさ歯車の歯が、それぞれ、かみ合い側歯面と、当該かさ歯車とかみ合う歯車の反かみ合い側歯面のための係合領域（Ｂ１）を有する反かみ合い側歯面（Ｂ１＋Ｂ２）と、を備えるかさ歯車伝達のためのかさ歯車において、前記反かみ合い側歯面（Ｂ１＋Ｂ２）において前記係合領域（Ｂ１）を包囲する外部領域（Ｂ２）、及び、外周縁領域（Ｂ３）は、材料の高精度除去加工によって、加工前の表面から低下されて非接触となり、その結果、残された内部隆起領域（Ｂ４）が、当該かさ歯車の前記反かみ合い側歯面（Ｂ１＋Ｂ２）の１０パーセントから４０パーセントとなり、前記外周縁領域（Ｂ３）は、前記係合領域（Ｂ１）から前記内部隆起領域（Ｂ４）を除いた領域であることを特徴とするかさ歯車。
【請求項７】
前記内部隆起領域（Ｂ４）が、前記反かみ合い側歯面（Ｂ１＋Ｂ２）の２０パーセントから３０パーセントとなることを特徴とする請求項６に記載のかさ歯車。
【発明の詳細な説明】
【技術分野】
【０００１】
本発明は、歯が、それぞれ、かみ合い側歯面及び反かみ合い側歯面を有するかさ歯車伝達のためのかさ歯車及びその製造方法に関する。
【背景技術】
【０００２】
概して、かさ歯車の歯形は、ギヤ中心を通り、歯を通って径方向に延在する対称軸線に対して対称となる。これは、一般的に、両方の方向（前方及び後方）に等しく動作するように歯車が設計されて製造されるという基本において正当化されている。従来の製造方法は、製造の自由度を制限し、歯車の多数の歯を一度に製造するという目的で最適化されている。動作の方向に依存して、個々の歯は、トルク伝達の間、対向する歯のかみ合い側歯面と係合してトルクを伝達するかみ合い側歯面を有する。回転方向において逆回転がない限り、歯車が回転したとき、歯の反かみ合い側歯面は、かみ合い歯車の次の対向する歯と部分的に接触するか、又は、全く接触しない。
【０００３】
概して、歯車は、実際の使用にかかわらず、両方の回転方向のために設計される。実際には、かさ歯車伝達は、逆回転を必要とすることがほとんどない。それにもかかわらず、歯車の個々の歯の歯面は、両方の回転方向のために等しく製造され、機械加工されている。
【０００４】
当然のことながら、逆方向に回転するとき、反かみ合い側歯面は、それらの個々の歯のかみ合い側歯面と同じ機能を有する必要がない。歯車の製造中、反かみ合い側歯面において、かみ合い側歯面と概して同等の量の材料が取り除かれる。その後、両方の歯面とも、概してコストのかかる表面処理を同じ範囲に施すことになり、反かみ合い側歯面も、完全に硬化処理又は表面処理を施される。
【発明の概要】
【発明が解決しようとする課題】
【０００５】
本発明の目的は、反かみ合い側歯面の製造費用を減らすことによりコストを低減する上述したタイプのかさ歯車を実現することにある。加えて、本発明の目的は、摩耗及びギヤ回転ノイズを低減させるため、歯の本体及びかみ合い側歯面の形状設計の拡張可能性を提供することにある。
【課題を解決するための手段】
【０００６】
この目的は、歯の反かみ合い側歯面が、予想される負荷のために適合され且つ最適化された係合領域を与えられる手段による本発明によって実現される。歯面が「後方に反り返った」本質的ではない表面領域は、かみ合った歯車の次の対向する歯に非接触となるように三次元材料除去加工法によって取り除かれる。望ましい又は要求される歯面は、こうして材料除去領域に対して隆起される。縮小された内部領域は、歯面全体の１０から４０パーセント、好適には２０から３０パーセントを占める。
【０００７】
製造の初期工程において製作されるこのような隆起面の利点は、実際の負荷のために最適化されて縮小された駆動平面（負荷接触領域）が、可能な限り早く製造されることである。製造工程の早い段階において歯を全体修正することは、歯面の硬化処理のような仕上げ処理工程を完了した後よりも容易である。最小限に必要な駆動平面（負荷接触領域）を製造することによって、実際に係合される接触面を最小化させることが可能となり、それによってギヤ回転ノイズを低減する。
【０００８】
特に好適な態様は、全体歯面に対して縮小された最小係合領域のみが仕上げ処理される。これは、それぞれの歯の実際に必要な領域のみが、高精度仕上げ工程において、例えば硬化又は研磨のような仕上げ処理を施されることを意味する。これは、製造コストを低減する。
【０００９】
別の利点は、続いて行われる付加的な表面処理製造工程、例えば「仕上げフライス加工」も同様に、反かみ合い側歯面の隆起領域にのみ施されるという点である。これは製造時間を短くし、工程時間の短縮及び工具の摩耗の低減により、コストを減らす。
【００１０】
特に、この工程は、硬化処理後に硬化歪みを歯面形状に呈する、歯面の自動又は手動の精密仕上げの工数を減らす。
【００１１】
別の利点は、縮小された残りの隆起領域が、手動でより速く研磨され又は研磨機でラップ研磨され得るという点である。
【図面の簡単な説明】
【００１２】
（原文記載なし）
【発明を実施するための形態】
【００１３】
本発明に係る実施形態の断面図を図に示し、更に詳細について以下に示す。
【００１４】
円錐形の外部表面において、かさ歯車は、外周に亘り離散した複数の歯１を有し、それぞれの歯１は、かみ合い側歯面及び反かみ合い側歯面２を有する。
【００１５】
歯車にとって好適なトルク伝達ための回転方向を意図しているため、かみ合い側歯面及び反かみ合い側歯面は、異なる形状に表わされた異なる機能を有する。しかしながら、歯面のために選択された形状は、反対側の歯車上の反対側の歯面の形状を決定する。二つの歯車が噛みあうとき、両方の歯面はここで完全に係合することはない。全体歯面Ｂ０の一部のみが、最大限に有効な係合領域Ｂ１として使用され得る。有効な係合領域Ｂ１を包囲する歯の反かみ合い側歯面の残りの外部領域Ｂ２は、対向する歯と接触しない。
【００１６】
通常動作の間、回転方向前方において、かみ合い側歯面は、トルクを伝達する役割を果たし、且つ、この構成において、大きな駆動平面（負荷接触領域）を有するように設計されている。この有効な係合領域Ｂ１は、概して、歯の表面の許容接触圧の最大トルク伝達を実現するように、なるべく大きく製造されている。
【００１７】
反かみ合い側歯面２は、仮にあるとすれば、逆回転の低レベルのトルクを伝達するためだけに使用される。従来の係合領域Ｂ１の面高さは、この領域が常に非接触となるように、製造の初期工程において、こうして外周縁領域Ｂ３近傍を縮小される。残されるのは、係合領域が最適化された歯面形状を有する内部隆起領域Ｂ４である。
【００１８】
隆起領域Ｂ４は、対向する歯と係合する反かみ合い側歯面２の残された縮小係合領域である。縮小内部領域Ｂ４は、全体歯面範囲Ｂ１＋Ｂ２の反かみ合い側歯面２の、１０パーセントから４０パーセントの間、好適には２０パーセントから３０パーセントの間の範囲を占める。ここで、反かみ合い側歯面２の最大必要係合領域は、適応すべき最大トルク及び許容接触圧によって決まる。
【００１９】
最適化された歯面形状の製造は、歯形及び歯面に従って三次元材料除去を必要とする。特に歯１を、フライス加工又は研削することによる材料の除去によって高精度にすることができる。ここで、反かみ合い側歯面２の不要な領域における余分な材料は、硬化処理後に硬化歪みが生じた場合においても対向する歯面と非接触となるように取り除かれる。材料の三次元除去加工の範囲は、歯面の負荷に起因する変形が生じた場合に、反かみ合い側歯面２の縮小しようとする内部領域Ｂ４のみが係合し、反かみ合い側歯面２の残りの領域が係合しないという事実によっても略決定される。
【００２０】
多次元の（４軸、及び多軸、特に５軸）フライス盤は、この特別な歯面形状を、歯１の反かみ合い側歯面２に形成するために使用される。
【００２１】
残された隆起領域Ｂ４の表面粗さを向上させるため、硬化処理の次に、表面の仕上げフライス加工又は仕上げ研削のための多次元（４軸又は多軸、特に５軸）フライス盤が使用される。
【００２２】
かさ歯車の製造における最終表面仕上げ工程は、歯面の残された隆起領域Ｂ４の手動研磨又は機械ラッピング研磨である。
【図１】
0005635629.tif 000002